(57)【要約】【課題】引き戸がスムースに走行するように案内し、引き戸がレールや敷居溝から外れたときでも倒れることを防げる走行ガイド装置およびそれを備えた引き戸を提供する。【解決手段】上レール９に建て込まれる引き戸の走行ガイド装置Ａであって、上記ガイド装置Ａは引き戸本体Ｂの上端面に取着されるとともに、該上端面に固定されるベース部７と、このベース部７に突設された支点３を中心に回動自在とされた回動板１と、この回動板１の自由端１１、１２に回転自在に取り付けられたガイドローラ２１、２２と、このガイドローラ２１、２２を、上記回動板１を介して上記上レール９の内側面に圧接するバネ弾性体４とからなる走行ガイド装置Ａ。【選択図】図３
2009155792.tif 000002
【特許請求の範囲】
【請求項１】
下方に開口して設けられた上レールに建て込まれる引き戸の走行ガイド装置であって、上記ガイド装置は引き戸本体の上端面に取着されるとともに、該上端面に固定されるベース部と、このベース部に突設された支点を中心に回動自在とされた回動板とこの回動板の両端に回転自在に取り付けられたガイドローラとこのガイドローラを、上記回動板を介して上記上レールの内側面に圧接するバネ弾性体とからなる走行ガイド装置。
【請求項２】
上記バネ弾性体が弦巻バネであり、該弦巻バネの一端をベース部に固定して該弦巻バネのコイル部内を上記支点が挿通するとともに、他の一端は回動板の裏面に固定され、回動板を回動するように付勢された請求項１に記載の走行ガイド装置。
【請求項３】
上記上レールの左右内側面にガイドローラ走行用凹溝が設けられた請求項１に記載の走行ガイド装置。
【請求項４】
下方に開口して設けられた上レールに建て込まれる引き戸であって、ベース部と、このベース部に突設された支点を中心に回動自在とされた回動板とこの回動板の両端に回転自在に取り付けられたガイドローラとこのガイドローラを、上記回動板を介して上記上レールの内側面に圧接するバネ弾性体とからなるガイド装置を上端面に備えてなる走行ガイド装置付き引き戸。
【発明の詳細な説明】
【技術分野】
【０００１】
本願発明は、床面に敷設されたレールまたは敷居溝を走行する引き戸に関し、さらに詳しくは、該引き戸が左右にスムースに走行するよう案内するとともに、引き戸の外れ防止機能を有する走行ガイド装置およびそれを備えた引き戸に関するものである。
【背景技術】
【０００２】
従来、住宅、事務所、公共建築物等の開口部に間仕切り、出入り口等として用いられる引き戸は、下部に戸車を装備し、床面に敷設されたレールに沿って走行する戸車タイプのものと、ランナーにより上枠に吊られた状態で上枠に取り付けたレールに沿って走行する吊り引き戸タイプのものが使用されている。特に、重量の大きな引き戸は開閉時に労力を要しないように、上から扉体を吊り下げて支持する吊り引き戸タイプのものを使用することが多い。
【０００３】
一般住宅等において、部屋の間仕切り、出入り口用には、通常、本願図６に示す引き戸が用いられている。すなわち、本願図６に示すように、引き戸Ｄは方立イに沿って設けられ、引き戸Ｄの上端部の片側が切り取られて戸首加工が施され、この戸首ロを鴨居ハに掘られた鴨居溝ニ内に嵌め込まれている。一方、引き戸Ｄの下端部には戸車ホが取り付けられ、この戸車ホは敷居ヘに凹設された敷居溝ト内を転動することによって、引き戸Ｄは開閉自在とされている。
【０００４】
一方、従来公知の吊り引き戸は、扉の荷重を支持して上レール上を走行する際に、吊り車が左右のレール枠に接触し、不快な騒音を発するという問題がある。そこで、特開平１０−２２００９８号公報には、上レール上を走行するランナーに取り付けられた吊り引き戸の断面構造において、コの字型のレール枠を持つ上レールであって、レール面が、レール枠の左右の側面下部から中央部に向けて１５〜４５度の傾斜角度で下降傾斜している２本のレールと、上記レールのレール面に接して走行する１対の吊り車と、該１対の吊り車が取り付けられている吊り車保持部と、該吊り車保持部にとりつけられた吊り手とからなるランナーと、ランナーの吊り手に吊られて走行する引き戸とからなることを特徴とする吊り引き戸の構造が開示されている。
【特許文献１】特開平１０−２２００９８号公報
【発明の開示】
【発明が解決しようとする課題】
【０００５】
ところで、引き戸は人の力によって左右に開閉されるため、引き戸にかかる力の方向や大きさは一定せず、時には異常な横方向の力が加わることがある。そのようなとき、引き戸が床面に敷設されたレールや敷居溝から外れ、倒れると、不測の事態が発生し、安全上、問題となる。
【０００６】
本願発明は、上記背景技術に鑑みてなされたものであり、その目的は、引き戸を開閉するとき、上記した異常な横方向の力が働いても引き戸がレールや敷居溝から外れることのないようにスムースに案内するとともに、万一、引き戸がレールや敷居溝から外れたときでも倒れることを防げる走行ガイド装置およびそれを備えた引き戸を提供することである。
【課題を解決するための手段】
【０００７】
上記課題を解決するために、本願請求項１記載の発明に係る走行ガイド装置は、下方に開口して設けられた上レールに建て込まれる引き戸の走行ガイド装置であって、上記ガイド装置は引き戸本体の上端面に取着されるとともに、該上端面に固定されるベース部と、このベース部に突設された支点を中心に回動自在とされた回動板とこの回動板の両端に回転自在に取り付けられたガイドローラとこのガイドローラを、上記回動板を介して上記上レールの内側面に圧接するバネ弾性体とからなることを特徴としている。
【０００８】
本願請求項２記載の発明は、上記請求項１記載の走行ガイド装置において、上記バネ弾性体が弦巻バネであり、該弦巻バネの一端をベース部に固定して該弦巻バネのコイル部内を上記支点が挿通するとともに、他の一端は回動板の裏面に固定され、回動板を回動するように付勢されたことを特徴としている。
【０００９】
本願請求項３記載の発明は、上記請求項１記載の走行ガイド装置において、上記上レールの左右内側面にガイドローラ走行用凹溝が設けられたことを特徴としている。
【００１０】
本願請求項４記載の発明に係る走行ガイド装置付き引き戸は、下方に開口して設けられた上レールに建て込まれるとともに、ベース部と、このベース部に突設された支点を中心に回動自在とされた回動板とこの回動板の両端に回転自在に取り付けられたガイドローラとこのガイドローラを、上記回動板を介して上記上レールの内側面に圧接するバネ弾性体とからなる走行ガイド装置を上端面に備えてなることを特徴としている。
【発明の効果】
【００１１】
本願請求項１記載の発明に係る走行ガイド装置においては、引き戸本体の上端面に固定されるベース部と、このベース部に突設された支点を中心に回動自在とされ、両端にガイドローラが回転自在に取り付けられた回動板とこの回動板を付勢するバネ弾性体とからなり、両端に取り付けられたガイドローラがバネ弾性により上レールの内側面に押しつけられ、圧接されたまま、引き戸の左右移動に伴って回転するため、引き戸が下レールや敷居上をスムースに走行するように案内することができる。
【００１２】
また、上記ガイドローラが上レールの内側面にバネ弾性によりしっかりと押しつけられているため、万一、引き戸がレールや敷居から外れても倒れることを防いで、不測の事故等を未然に防止することができる。
【００１３】
本願請求項２記載の発明に係る走行ガイド装置においては、特に、上記バネ弾性体を弦巻バネとし、該弦巻バネの一端をベース部に固定して該弦巻バネのコイル部内を上記支点が挿通するようにし、他の一端を、回動板を回動するようにその裏面に固定することにより、弾性を有する金属の反発力を利用して、回動板を強く付勢することができる。その結果、ガイドローラが上レールの内側面に強く押しつけられ、万一、引き戸がレールや敷居から外れても倒れることを防いでしっかりと支えることができる。
【００１４】
本願請求項３記載の発明に係る走行ガイド装置においては、特に、上記上レールの左右内側面にガイドローラ走行用凹溝が設けられることにより、ガイドローラがガイドローラ走行用凹溝を構成する側壁に圧接されるとともに、該凹溝自体によって係止されるため、万一、引き戸がレールや敷居から外れてもさらに確実に倒れることを防止できる。
【００１５】
また、上記ガイドローラ走行用凹溝そのものを、吊り引き戸の吊り車を支えるレール枠とし、上記ガイドローラを吊り車とすることも可能であり、このような構成とすることにより、上記した引き戸を上吊り式の吊り引き戸としても利用できる。
【００１６】
本願請求項４記載の発明に係る走行ガイド装置付き引き戸においては、ベース部と、このベース部に突設された支点を中心に回動自在とされ、両端にガイドローラが回転自在に取り付けられた回動板とこの回動板を付勢するバネ弾性体とからな走行ガイド装置が引き戸本体の上端面に上記ベース部を固定して備えられているため、上記回動板の両端に取り付けられたガイドローラがバネ弾性により上レールの内側面に押しつけられ、圧接されたまま、引き戸の左右移動に伴って回転し、引き戸が下レールや敷居上をスムースに走行するように案内することができる。また、万一、引き戸がレールや敷居から外れても、上記ガイドローラが上レールの内側面にバネ弾性によりしっかりと押しつけられているため、倒れることを防いで、不測の事故を未然に防止することができる。
【発明を実施するための最良の形態】
【００１７】
図１は、本願発明に係る走行ガイド装置Ａを引き戸本体Ｂに取り付けた状態を示す平面図であり、図２は同じく側面図である。図１、図２に示すように、上記走行ガイド装置Ａは、回動板１とこの回動板１の自由端１１、自由端１２に回転自在に取り付けられたガイドローラ２１、ガイドローラ２２と上記回動板１を回動自在に支持する支点３およびバネ弾性体４から構成されている。本実施形態においては、バネ弾性体４としてコイル部４１と二つの端部を有する弦巻バネが用いられている。
【００１８】
図１、図２に示すように、バネ弾性体４の一端はベース部７に突設された係止部５に固定され、バネ弾性体４の他の端部は回動板１の裏面に突設された係合部６に係合されている。また、図２に示すように、回動板１の裏面において弦巻バネのコイル部４１の中を上記支点３が挿通している。このようにすることによって、回動板１は、図１に白抜き矢印で示すように付勢され、引き戸本体Ｂの上端面の長さ方向と略直角方向となるようにモーメントが働く。
【００１９】
図３は、引き戸本体Ｂの上端面の左右２ケ所に上記走行ガイド装置Ａが取り付けられ、下レールＲを左右に走行する本願発明にかかる走行ガイド装置付き引き戸Ｃを示す斜視図である。図４は、図３に示す本願発明にかかる走行ガイド装置付き引き戸Ｃを鴨居８に設けられた上レール９に建て込んだ状態を模式的に示す縦断面図である。
【００２０】
上記走行ガイド装置Ａは、通常、バネ弾性によって上端面の長さ方向と略直角方向となるように付勢されているため、この回動板１を、治具等を用いてバネ弾性体４の反発力に抗して引き戸本体Ｂの長さ方向と略平行となるように配置し、上記走行ガイド装置付き引き戸Ｃを上レール９内に建て込む。建て込んだ後、治具を取り外すとバネ弾性体４の弾性復帰力により、回動板１は、再び、図１に示すように、引き戸本体Ｂの長さ方向と略直角方向となるように回動し、上記走行ガイド装置付き引き戸Ｃを上レール９内に建て込むことができる。
【００２１】
建て込んだ後は、図４に示されているように、手前側の走行ガイド装置Ａのガイドローラ２２と向こう側の走行ガイド装置Ａのガイドローラ２１とは上レール９の内側壁に回動板１を介し、弦巻バネのバネ弾性によって押しつけられ、圧接する。このようにしてガイドローラ２１とガイドローラ２２とは、引き戸本体Ｂを案内し、かくして、走行ガイド装置付き引き戸Ｃは、下レールＲ上をスムースに走行できる。
【００２２】
一方、上記したように、バネ弾性体４によってガイドローラ２２とガイドローラ２１とは付勢され、しっかりと押しつけられ、圧接しているため、万一、引き戸本体Ｂが下レールＲから外れても転倒を防ぎ、不測の事故をなくすことができる。
【００２３】
図５は、図４に示す上レール９の左右内側面にガイドローラ走行用凹溝９１を設けた実施形態を、模式的に示す縦断面図である。図５に示されているように、本実施形態においては、ガイドローラ走行用凹溝９１内に上記ガイドローラ２２とガイドローラ２１とが建て込まれている。このようにガイドローラ走行用凹溝９１を設けることにより、ガイドローラ２２とガイドローラ２１とは上記ガイドローラ走行用凹溝９１内を転動するとともに、万一、引き戸本体Ｂが下レールＲから外れても、ガイドローラ２２とガイドローラ２１とがガイドローラ走行用凹溝９１によって係止され、さらに確実に転倒を防ぐことができる。
【００２４】
また、上記ガイドローラ走行用凹溝９１をレール枠とし、上記ガイドローラ２２とガイドローラ２１とを吊り車とすることにより、引き戸本体Ｂを上吊り式の吊り引き戸としても使用することができる。
【００２５】
なお、引き戸本体Ｂの修理や清掃等のメンテナンスの際は、上記建て込むときと同様にして、治具等を用いて回動板１を引き戸本体Ｂの長さ方向と略平行となるようにし、引き戸本体Ｂの上端部を上レール９から外せばよい。
【００２６】
上記した実施形態は、回動板１の裏面において弦巻バネのコイル部４１の中を支点３が挿通して回動板１を付勢する形態について説明したが、２個のスプリングを用いて回動板１の両端部をおのおの付勢し、引き戸本体Ｂの長さ方向と略直角方向となるようなモーメントを働かせてもよい。このように、本願発明は設計変更自在であり、特許請求の範囲を逸脱しない限り、本願発明の技術的範囲に属する。
【図面の簡単な説明】
【００２７】
【図１】本願発明に係る走行ガイド装置を引き戸本体に取り付けた状態を示す平面図。
【図２】本願発明に係る走行ガイド装置を引き戸本体に取り付けた状態を示す側面図。
【図３】本願発明に係る走行ガイド装置付き引き戸を示す斜視図。
【図４】本願発明に係る走行ガイド装置付き引き戸を鴨居に設けられた上レールに建て込んだ状態を模式的に示す縦断面図。
【図５】本願発明に係る走行ガイド装置付き引き戸を、鴨居に設けられ、左右内側面にガイドローラ走行用凹溝を有する上レールに建て込んだ状態を模式的に示す縦断面図。
【図６】公知の引き戸を示す断面図。
【符号の説明】
【００２８】
Ａ      走行ガイド装置
Ｂ      引き戸本体
Ｃ      走行ガイド装置付き引き戸
Ｒ      下レール
１      回動板
１１    自由端
１２    自由端
２１    ガイドローラ
２２    ガイドローラ
３      支点
４      バネ弾性体
４１    コイル部
５      係止部
６      係合部
７      ベース部
８      鴨居
９      上レール
９１    ガイドローラ走行用凹溝
Ｄ      公知の引き戸
イ      方立
ロ      戸首
ハ      鴨居
ニ      鴨居溝
ホ      戸車
ヘ      敷居
ト      敷居溝
【図１】
2009155792.tif 000003
【図２】
2009155792.tif 000004
【図３】
2009155792.tif 000005
【図４】
2009155792.tif 000006
【図５】
2009155792.tif 000007
【図６】
2009155792.tif 000008